(57)【要約】【課題】広い焦点距離をカバーすることができながら、コンパクトなズームレンズ鏡筒を提供する。【解決手段】複数のレンズ群Ａ〜Ｅを有するズームレンズ鏡筒１は、縦溝筒２０と、縦溝筒２０の外側に配置されたズームリング１０と、縦溝筒２０の内側に配置され、ズームリング１０が回転されると複数のレンズ群Ａ〜Ｅを光軸方向に移動させるレンズ繰出筒群とを備え、レンズ繰出筒群は、外筒３０と、第１摺動枠４０と、第２カム筒５０と、第２摺動枠６０と、フォーカスカム筒７０と、直進筒８０と、第１カム筒９０と、を含む。【選択図】図１
2015106128.tif 000002
【特許請求の範囲】
【請求項１】
複数のレンズ群を有するズームレンズ鏡筒であって、
固定筒と、
前記固定筒の外側に配置されたズームリングと、
前記固定筒の内側に配置され、前記ズームリングが回転されると前記複数のレンズ群を光軸方向に移動させるレンズ繰出筒群とを備え、
前記レンズ繰出筒群は、外筒と、第１摺動枠と、第２カム筒と、第２摺動枠と、フォーカスカム筒と、直進筒と、第１カム筒と、を含むことを特徴とするズームレンズ鏡筒。
【請求項２】
前記レンズ繰出筒群は、外側から内側に向かって外筒、第１摺動枠、第２カム筒、第２摺動枠、フォーカスカム筒、直進筒、第１カム筒の順序で配置されている、ことを特徴とする請求項１に記載されたズームレンズ鏡筒。
【請求項３】
前記ズームレンズ鏡筒は第１〜第５レンズ群を有し、
前記外筒と前記直進筒とは直進筒連動コマにより連結されており、
前記第１カム筒は前記直進筒に対して光軸方向の移動が拘束されており、
前記ズームリングが回転されると、
前記ズームリングが前記固定筒に対して回転されることにより、前記直進筒は回転することなく前記外筒とともに光軸方向に移動し、
前記ズームリングの回転が前記第１カム筒に伝達され、前記第１カム筒は回転しながら前記外筒及び直進筒とともに光軸方向に移動し、
前記第３〜第５レンズ群は、前記直進筒に対して前記第１カム筒が回転することにより、前記直進筒に対して光軸方向に相対移動し、
これにより、前記第３〜第５レンズ群が光軸方向にズーム移動する、ことを特徴とする請求項２に記載されたズームレンズ鏡筒。
【請求項４】
前記第２摺動枠は、前記第２カム筒とともに周方向に回転するとともに、回転を前記第１カム筒に伝達し、これにより、前記ズームリングの回転が、前記第２カム筒及び前記第２摺動枠を介して、前記第１カム筒に伝達される、ことを特徴とする請求項３に記載されたズームレンズ鏡筒。
【請求項５】
前記ズームリングが回転されると、
前記第２摺動枠が、前記直進筒に対して回転することにより光軸方向に移動し、
前記フォーカスカム筒は前記第２摺動枠とともに光軸方向に移動し、
前記第２レンズ群はフォーカスカム筒とともに光軸方向にズーム移動する、ことを特徴とする請求項３または４に記載されたズームレンズ鏡筒。
【請求項６】
第１レンズ群は、前記第１摺動枠に固定されており、
前記ズームリングが回転されると、
前記ズームリングの回転は前記第２カム筒に伝達され、前記外筒が前記固定筒に対して回転することなく光軸方向に移動し、さらに、前記第２カム筒が前記外筒に対して回転することにより、前記第１摺動枠が光軸方向に移動され、これにより、前記第１レンズ群は光軸方向にズーム移動する、ことを特徴とする請求項３から５のいずれか１項に記載されたズームレンズ鏡筒。
【発明の詳細な説明】
【技術分野】
【０００１】
本発明はズームレンズ鏡筒に関し、特に一眼レフ用のズームレンズ鏡筒に関する。
【背景技術】
【０００２】
高倍率ズームレンズ鏡筒には、高角から望遠までの広い焦点距離をカバーすることができることが望まれている。このように広い焦点距離をカバーすることができるようにするためには、レンズの繰り出し量を大きくする必要があり、レンズの繰り出し量を大きくするためには、レンズを複数段重ねることが考えられる。
【０００３】
このようにレンズを繰り出すための筒を複数段重ねたズームレンズ鏡筒として、例えば、特許文献１には、同文献の図１、２に示されているように、外側からズーム操作リング、中間鏡筒、外筒、第１群レンズ摺動枠、第２カム筒、ズーム連動リング、固定筒、フォーカスカム筒、直進筒、及び、第１カム筒が配置された１０層構造のズームレンズ鏡筒が開示されている。
【０００４】
また、引用文献１に記載されたズームレンズ鏡筒では、ズーム操作リングを回転させると、カム機構によりズーム連動リングが回転しながらズーム操作リングに対して光軸方向に移動され、さらにズーム連動リングの回転により、直進筒がズーム連動リングに対して光軸方向に移動され、直進筒に対して第１カム筒が回転することにより、第２〜第４レンズ群のズーム動作が行われている。
【先行技術文献】
【特許文献】
【０００５】
【特許文献１】特開２０１０−４４１０２号公報
【発明の概要】
【発明が解決しようとする課題】
【０００６】
ここで高倍率ズームレンズ鏡筒には、広い焦点距離をカバーすることができるとともに、携帯性を向上するためにコンパクト化することが求められている。しかしながら、引用文献１記載のズームレンズ鏡筒のようにレンズを繰り出すための筒を複数段重ねると、鏡筒の径が大きくなってしまい、コンパクト化という課題を達成することができない。
【０００７】
さらに、多くの筒を重ねてレンズを繰り出すと、上述したように多数の筒を介してレンズ群を移動させることとなり、広角から望遠へレンズを繰り出す場合と、望遠から広角へレンズを退行させる場合との繰り出し精度の差（すなわち、レンズの繰り出し距離の差）が大きくなってしまう。
【０００８】
本願発明は、上記の課題に鑑みなされたものであり、広い焦点距離をカバーすることができながら、コンパクトなズームレンズ鏡筒を提供することを目的とする。さらに、本願発明は、多くの筒を重ねて構成された鏡筒において、繰り出し精度を向上することを目的とする。
【課題を解決するための手段】
【０００９】
本発明のズームレンズ鏡筒は、複数のレンズ群を有するズームレンズ鏡筒であって、固定筒と、前記固定筒の外側に配置されたズームリングと、前記固定筒の内側に配置され、前記ズームリングが回転されると前記複数のレンズ群を光軸方向に移動させるレンズ繰出筒群とを備え、前記レンズ繰出筒群は、外筒と、第１摺動枠と、第２カム筒と、第２摺動枠と、フォーカスカム筒と、直進筒と、第１カム筒と、を含むことを特徴とする。
【００１０】
また、本発明において、好ましくは、レンズ繰出筒群は、外側から内側に向かって外筒、第１摺動枠、第２カム筒、第２摺動枠、フォーカスカム筒、直進筒、第１カム筒の順序で配置されている。
【００１１】
上記構成の本発明によれば、９層の筒体から構成されており、広い焦点距離をカバーしつつ、コンパクトな構成とすることができる。
【００１２】
また、本発明において、好ましくは、ズームレンズ鏡筒は第１〜第５レンズ群を有し、外筒と直進筒とは直進筒連動コマにより連結されており、第１カム筒は直進筒に対して光軸方向の移動が拘束されており、ズームリングが回転されると、ズームリングが固定筒に対して回転されることにより、直進筒は回転することなく外筒とともに光軸方向に移動し、ズームリングの回転が第１カム筒に伝達され、第１カム筒は回転しながら外筒及び直進筒とともに光軸方向に移動し、第３〜第５レンズ群は、直進筒に対して第１カム筒が回転することにより、直進筒に対して光軸方向に相対移動し、これにより、第３〜第５レンズ群が光軸方向にズーム移動する。
【００１３】
また、本発明において、好ましくは、第２摺動枠は、第２カム筒とともに周方向に回転するとともに、回転を第１カム筒に伝達し、これにより、ズームリングの回転が、第２カム筒及び第２摺動枠を介して、第１カム筒に伝達される。
【００１４】
上記構成の本発明によれば、外筒と直進筒とが一体となって光軸方向に移動するため、従来に比べて、広角から望遠へレンズを繰り出す場合と、望遠から広角へレンズを退行させる場合との繰り出し精度の差を減らすことができる。
【００１５】
また、本発明において、好ましくは、ズームリングが回転されると、第２摺動枠が、直進筒に対して回転することにより光軸方向に移動し、フォーカスカム筒は第２摺動枠とともに光軸方向に移動し、第２レンズ群はフォーカスカム筒とともに光軸方向にズーム移動する。
【００１６】
また、本発明において、好ましくは、第１レンズ群は、第１摺動枠に固定され、ズームリングが回転されると、ズームリングの回転は第２カム筒に伝達され、外筒が固定筒に対して回転することなく光軸方向に移動し、さらに、第２カム筒が外筒に対して回転することにより、第１摺動枠が光軸方向に移動され、これにより、第１レンズ群は光軸方向にズーム移動する。
【発明の効果】
【００１７】
本発明によれば、広い焦点距離をカバーすることができながら、コンパクトなズームレンズ鏡筒を提供できる。さらに、本発明によれば、多くの筒を重ねて構成された鏡筒において、繰り出し精度を向上することができる。
【図面の簡単な説明】
【００１８】
【図１】本発明の一実施形態のズームレンズ鏡筒の広角時における光軸を通る面の断面図を示す。
【図２】図１に示すズームレンズ鏡筒の望遠時における光軸を通る面の断面図を示す。
【図３】図１に示すズームレンズ鏡筒におけるズームリングの展開図である。
【図４】図１に示すズームレンズ鏡筒における縦溝筒の展開図である。
【図５】図１に示すズームレンズ鏡筒における外筒の展開図である。
【図６】図１に示すズームレンズ鏡筒における第１摺動枠の展開図である。
【図７】図１に示すズームレンズ鏡筒における第２カム筒の展開図である。
【図８】図１に示すズームレンズ鏡筒における第２摺動枠の展開図である。
【図９】図１に示すズームレンズ鏡筒におけるフォーカスカム筒の展開図である。
【図１０】図１に示すズームレンズ鏡筒における直進筒８０の展開図である。
【図１１】図１に示すズームレンズ鏡筒における１カム筒９０の展開図である。
【発明を実施するための形態】
【００１９】
以下、本発明のズームレンズ鏡筒の一実施形態を図面を参照しながら説明する。本実施形態では、オートフォーカス機構及び手振れ補正機構を備えた５レンズ群構成のズームレンズ鏡筒について説明する。
【００２０】
（構成）
図１及び図２は、それぞれ、本発明の一実施形態のズームレンズ鏡筒の光軸を通る面の断面図であり、それぞれ、広角時及び望遠時における断面を示す。
インナーフォーカスズームレンズ１は、図１及び図２に示すように、光軸Ｏ上に配置された第１レンズ群Ａ、フォーカスレンズ群である第２レンズ群Ｂ、第３レンズ群Ｃ、第４レンズ群Ｄ、及び第５レンズ群Ｅを有する。また、第４レンズ群Ｄは手振れ補正用の補正レンズ群を構成している。各レンズ群におけるレンズはほぼ等しい径を有し、第１レンズ群Ａから第５レンズ群Ｅに進むに従って小径なレンズが用いられている。第１〜５レンズ群Ａ〜Ｅは、それぞれ、円環状に形成された第１〜５レンズ群枠２、３、４、５、６に保持されている。
【００２１】
ズームレンズ鏡筒１は、マウント７から順に、第１基部筒８、第２基部筒９が設けられている。また、第１基部筒８の半径方向中心側には、縦溝筒２０（固定筒）が固着されている。
【００２２】
縦溝筒２０の径方向外側には、ズームリング１０が光軸方向の移動を拘束された状態で回転可能に設けられている。また、第２基部筒９の結像側の端部の径方向外側には、フォーカスリング１００が回転可能に設けられている。
【００２３】
縦溝筒２０の径方向内側には、径方向中心に向かって順番に、外筒３０と、第１摺動枠４０と、第２カム筒５０と、第２摺動枠６０と、フォーカスカム筒７０と、直進筒８０と、第１カム筒９０とが配置されている。これら外筒３０、第１摺動枠４０、第２カム筒５０、第２摺動枠６０、フォーカスカム筒７０、直進筒８０、及び、第１カム筒９０が、ズームリング１０が回転されると第１〜５レンズ群Ａ〜Ｅを光軸方向に移動させるレンズ繰出筒群を構成する。
【００２４】
また、第１カム筒９０の内側には、対物側から接眼側に向かって順に、第２群摺動枠１１０、第３群摺動枠１２０、第４群摺動枠１３０、及び第５群摺動枠１４０が設けられている。第２レンズ群枠３、第３レンズ群枠４、及び第５レンズ群枠６は、それぞれ第２摺動枠１１０、第３群摺動枠１２０、及び第５群摺動枠１４０と一体に固定されている。また、第４群レンズ枠５は、手振れ補正機構１５０を介して第４群摺動枠１３０の支持されている。また、第３群レンズ枠４の対物側には絞り機構１６０が取り付けられている。
【００２５】
また、第２基部筒９内の結像側の空間には、光軸を中心として回転可能なフォーカスギアリング１７０と、フォーカスギアリング１７０を回転させる、例えば、超音波モータからなる合焦用モータ１８０とが配置されている。これらフォーカスギアリング１７０及び合焦用モータ１８０は、例えば、赤外線などを利用した被写体までの距離を測定する測距手段と、合焦用モータにフォーカスギアリング１７０の回転角度に応じた制御信号を送る制御手段と、ともにオートフォーカス機構を構成する。制御手段は、測距手段により測定された被写体までの距離に基づき、合焦に必要な第２レンズ群Ｂの移動距離に応じたフォーカスギアリング１７０の回転角を算出する。
【００２６】
フォーカスギアリング１７０は、フォーカス連動板１９０が接続されている。このフォーカス連動板１９０は縦溝筒２０の結像側に形成された開口を挿通し、縦溝筒２０の内側かつフォーカスカム筒７０の外側を光軸方向に延びている。フォーカス連動板３０の先端には、フォーカス連動コマ１９１が取り付けられている。
【００２７】
また、マニュアルフォーカスを行うため、フォーカスリング１００の回転は合焦用モータ１８０の減速機を介してフォーカスギアリング１７０に伝達可能となっている。
【００２８】
第４レンズ群Ｄを保持する第４レンズ群枠５は手振れ補正機構１５０により保持されており、この手振れ補正機構はジャイロ（図示せず）によりズームレンズ鏡筒１の加速度を検出し、検出した加速度に応じて第４レンズ群Ｄを光軸に対して垂直な平面内で並進及び回動移動させる。
【００２９】
図３〜図１１は、それぞれ、図１に示すズームレンズ鏡筒１におけるズームリング１０、縦溝筒２０、外筒３０、第１摺動枠４０、第２カム筒５０、第２摺動枠６０、フォーカスカム筒７０、直進筒８０、及び第１カム筒９０の展開図である。各図において、上側が被写体側、下側が結像側である。
【００３０】
図３に示すように、ズームリング１０には、その内面側に１本の第２カム筒ガイド溝１１と、３本の外筒カム溝１２が形成されている。第２カム筒ガイド溝１１は光軸方向に延びており、外筒カム溝１２は光軸方向に対して周方向に傾斜している。第２カム筒ガイド溝１１内には、第２カム筒５０の外周面に植設され、縦溝筒２０に形成された第２カム筒コマ挿通開口２２を挿通したた第２カム筒連動コマ５１の先端が係合している。また、外筒カム溝１２内には、外筒３０の外周面に植設され、縦溝筒２０の外筒コマ直進溝２１を挿通した外筒コマ３１が係合している。
【００３１】
図４に示すように、縦溝筒２０には、表裏を貫通するように、３本の外筒コマ直進溝２１と、１本の第２カム筒コマ挿通開口２２とが形成されている。外筒コマ直進溝２１は、光軸方向に延びており、第２カム筒コマ挿通開口２２は光軸に対して周方向に傾斜している。なお、第２カム筒コマ挿通開口２２の幅は、第２カム筒連動コマ５１の径よりも大きく、また、光軸方向に対してズームリング１０に形成された外筒カム溝１２とは逆方向に傾斜している。外筒コマ直進溝２１には、外筒３０の外周面に植設された外筒コマ３１が挿通し、外筒コマ３１の側面が外筒コマ直進溝２１の縁に当接している。また、第２カム筒コマ挿通開口２２には、第２カム筒５０の外周面に植設された第２カム筒連動コマ５１が挿通している。
【００３２】
図５に示すように、外筒３０には、その内周面に３本の第１摺動枠直進溝３２が形成されている。第１摺動枠直進溝３２には、第１摺動枠４０の外周面に植設された第１群ガイドコマ４１の先端部が係合している。また、外筒３０の外周面の接眼側の縁部には、３つの外筒コマ３１が植設されており、外筒３０から接眼側に突出するように形成された突出部３０Ａには円形の穴が形成されており、この穴に直進筒８０の外周面に植設された直進筒連動コマ３３の先端が係合している。外筒コマ３１は、上述した通り縦溝筒２０の外筒コマ直進溝２１を挿通し、ズームリング１０の外筒カム溝１２と係合している。また、直進筒連動コマ３３の先端は直進筒８０に植設されている。
【００３３】
図６に示すように、第１摺動枠４０の外周面の接眼側の縁部には、第１群ガイドコマ４１が植設されており、また、内周面の接眼側の縁部には、第１群摺動コマ４２が植設されている。上述した通り、第１群ガイドコマ４１の先端部は、外筒３０に形成された第１摺動枠直進溝３２と係合している。また、第１群摺動コマ４２の先端部は、第２カム筒５０に形成された第１群カム溝５２と係合している。
【００３４】
図７に示すように、第２カム筒５０には、外周面に３本の第１群カム溝５２が形成され、内周面に３本の第２摺動枠直進溝５３が形成されている。第１群カム溝５２は光軸に対して周方向に傾斜しており、第１摺動枠４０に形成された第１群摺動コマ４２が係合している。また、第２摺動枠直進溝５３は、光軸方向に延びており、第２摺動枠６０の外周面に植設された第２摺動枠連動コマ６１が係合している。また、第２カム筒の接眼側端部には、第２カム筒連動コマ５１が径方向外周に向かって植設されている。第２カム筒連動コマ５１は、縦溝筒２０に形成された第２カム筒コマ挿通開口２２を挿通し、先端がズームリング１０に形成された第２カム筒ガイド溝１１と係合している。
【００３５】
図８に示すように、第２摺動枠６０には、外周面に３本の第２摺動枠連動コマ６１が植設されており、また、内周面には３本の第２群コマ６２が植設されている。第２摺動枠連動コマ６１は、第２カム筒５０に形成された第２摺動枠直進溝５３と係合している。また、第２群コマ６２は、フォーカスカム筒７０に形成された第２群フォーカス溝７１、及び、直進筒８０の第２群コマガイド溝８２を挿通し、第１カム筒９０に形成された第２群直進溝９１に係合している。
【００３６】
図９に示すように、フォーカスカム筒７０には、被写体側の縁部に形成された３本のフォーカス摺動コマガイド溝７２と、接眼側の縁部に形成された３本の第２群フォーカス溝７１と、接眼側に向かって延びる突出部７０Ａに形成されたフォーカス連動コマ溝７３とが形成されている。フォーカス摺動コマガイド溝７２は、一端から中間部までの部分が周方向に延び、中間部から多端までの部分が被写体側へ湾曲している。フォーカス摺動コマガイド溝７２には、第２レンズ群枠３と一体となった第２摺動枠１１０の外周に植設されたフォーカス摺動コマ２０１が当接している。また、第２群フォーカス溝７１は、一端から中間部までの部分が周方向に延び、中間部から多端までの部分が接眼側へ湾曲している。第２群フォーカス溝７１には、第２摺動枠６０に形成された第２群コマ６２が挿通しており、第２群コマ６２の側面が第２群フォーカス溝７１の縁に当接している。また、フォーカス連動コマ溝７３は、略光軸方向に延びており、フォーカス連動板１９０の先端に取り付けられたフォーカス連動コマ１９１が係合している。
【００３７】
図１０に示すように、直進筒８０には、３本のフォーカス摺動コマカム溝８１と、３本の第２群コマガイド溝８２と、３本の第３群コマガイド溝８３と、３本の第１カム筒摺動コマガイド溝８４とが形成されている。フォーカス摺動コマカム溝８１は、光軸方向に対して周方向に傾斜するように形成されており、第２レンズ群枠３と一体となった第２摺動枠１１０の外周に植設されたフォーカス摺動コマ２０１が挿通している。第２群コマガイド溝８２は、光軸方向に対して周方向に傾斜するように形成されており、第２摺動枠６０に形成された第２群コマ６２が挿通しており、第２群コマ６２の側面が第２群コマガイド溝８２の縁に当接している。第３群コマガイド溝８３は光軸方向に延びるように形成されており、第３レンズ群枠４の外周に植設された第３群コマ２０３が係合している。第１カム筒摺動コマガイド溝８４は、周方向に延びるように形成されており、第１カム筒９０の外周面に形成された第１カム筒摺動コマ９２が係合している。また、直進筒８０の外周面には直進筒連動コマ３３が植設されており、この直進筒連動コマ３３の先端は外筒３０の突出部３０Ａに形成された穴に係合している。また、直進筒の接眼側の縁には、複数の凹部８０Ａが形成されており、この凹部８０Ａには、第４レンズ群枠５を支持する第４群摺動枠１３０の外周に植設された第４群コマが嵌合している。
【００３８】
図１１に示すように、第１カム筒９０には、被写体側に突出する３つの突出部９０Ａに形成された第２群直進溝９１と、被写体側の縁部に形成された３本の第３群コマカム溝９３と、光軸方向中間部に形成された３本の第４群コマガイド溝９４と、接眼側の縁部に形成された３本の第５群コマガイド溝９５とが形成されている。第２群直進溝９１は、光軸方向に延びるように形成されており、第２摺動枠６０に植設された第２群コマ６２が係合している。第３群コマカム溝９３は、一端から中間部までの部分は周方向に延びるように形成され、中間部から他端までの部分が光軸方向に対して周方向に傾斜するように形成されている。第３群コマカム溝９３は、第３レンズ群枠４の外周に植設された第３群コマ２０３が挿通しており、第３群コマ２０３の側面が第３群コマカム溝９３の縁に当接している。第４群コマガイド溝９４は周方向に延びるように形成されており、第４レンズ群枠５の外周に植設された第４群コマ２０４が挿通している。第５群コマガイド溝９５は光軸方向に対して周方向に傾斜するように形成されており、第５レンズ群枠６と一体となった第５群摺動枠１４０の外周に植設された第５群コマ２０５が係合している。また、第１カム筒９０の光軸方向中間部には、第１カム筒摺動コマ９２が植設されている。第１カム筒摺動コマ９２は、直進筒８０に形成された第１カム筒摺動コマガイド溝８４と係合している。
【００３９】
第１レンズ群枠２は、第１摺動枠４０の先端部に固定されている。
【００４０】
第２レンズ群枠３と一体となった第２群摺動枠１１０の外周にはフォーカス摺動コマ２０１が植設されており、このフォーカス摺動コマ２０１は直進筒８０に形成されたフォーカス摺動コマカム溝８１を挿通し、フォーカスカム筒７０に形成されたフォーカス摺動コマガイド溝７２に係合している。
【００４１】
第３レンズ群枠４の外周には第３群コマ２０３が植設されており、この第３群コマ２０３は第１カム筒９０の第３群コマカム溝９３を挿通し、直進筒８０の第３群コマガイド溝８３と係合している。
【００４２】
第４レンズ群枠５を支持する第４群摺動枠１３０の外周には第４群コマ２０４が植設されており、この第４群コマ２０４は第１カム筒９０の第４群コマガイド溝９４を挿通し、直進筒８０に形成された凹部８０Ａと嵌合している。また、第４群摺動枠１３０の後部には、接眼側に延びる固定枠部２１０が形成されている。固定枠部２１０には光軸方向に延びる縦溝２１１が形成されている。
【００４３】
第５レンズ群枠６の外周には第５群コマ２０５が植設されており、この第５群コマ２０５は第１カム筒９０の第５群コマガイド溝９５を挿通し、第４レンズ群枠５に接続された固定枠部２１０の縦溝２１１と係合している。
【００４４】
（ズーム作動）
上述したズームレンズ鏡筒１はマウント７によりカメラ本体に固定され、これによりマウント７に対して固定された縦溝筒２０はカメラ本体に対して固定される。ズーム操作時には、ズームリング１０をカメラ本体に対して回転させる。
【００４５】
−第１レンズ群−
ズームリング１０が回転されると、外筒３０に植設された外筒コマ３１が、縦溝筒２０に形成された外筒コマ直進溝２１を挿通し、ズームリング１０に形成された外筒カム溝１２に係合しているため、外筒３０が回転することなく光軸方向に被写体側に繰り出される。
【００４６】
また、第２カム筒５０の第２カム筒連動コマ５１が、縦溝筒２０の第２カム筒コマ挿通開口２２を挿通し、ズームリング１０の第２カム筒ガイド溝１１に係合している。このため、ズームリング１０が回転されると、第２カム筒５０が外筒３０及び直進筒８０に対して光軸方向移動が拘束された状態で光軸方向に被写体側に繰り出されるととともに、光軸を中心として回転する。
【００４７】
そして、第１摺動枠４０の第１群ガイドコマ４１が外筒３０の第１摺動枠直進溝３２に係合するとともに、第２カム筒５０の第１群カム溝５２と係合している。これにより、外筒３０が回転することなく光軸方向に繰り出され、第２カム筒５０が回転しながら光軸方向に繰り出されると、第１摺動枠４０は回転することなく、外筒３０に対して光軸方向に被写体側に繰り出される。このように、外筒３０が光軸方向に繰り出され、さらに、外筒３０に対して繰り出されることにより、第１レンズ群Ａの光軸方向移動が行われる。
【００４８】
−第２レンズ群−
直進筒８０の外周面に植設された直進筒連動コマ３３が、外筒３０の突出部３０Ａに形成された穴に係合しているため、ズームリング１０の回転により外筒３０が回転することなく光軸方向に繰り出されると、直進筒８０も外筒３０に連動して回転することなく光軸方向に被写体側に繰り出される。
【００４９】
また、第２摺動枠６０の第２摺動枠連動コマ６１が第２カム筒５０の第２摺動枠直進溝５３に係合しているため、第２カム筒５０が回転すると、第２カム筒５０の回転は、第２摺動枠６０に伝達される。また、第２摺動枠６０の第２群コマ６２が直進筒８０の第２群コマガイド溝８２を挿通している。このため、第２摺動枠６０が直進筒８０に対して回転すると、第２摺動枠６０は光軸方向に接眼側に移動する。
【００５０】
また、フォーカス連動コマ１９１がフォーカスカム筒７０のフォーカス連動コマ溝７３と係合しているため、フォーカス時以外にはフォーカスカム筒の回転は所定の角度範囲に拘束されている。さらに、第２群コマ６２がフォーカスカム筒７０の第２群フォーカス溝７１を挿通しているため、フォーカスカム筒７０は第２摺動枠６０に連動して、回転することなく光軸方向に接眼側へと移動される。そして、第２レンズ群枠３の外周に植設されたフォーカス摺動コマ２０１がフォーカスカム筒７０のフォーカス摺動コマガイド溝７２に係合しているため、フォーカスカム筒７０が光軸方向に接眼側へと移動されると、第２レンズ群Ｂも光軸方向に移動される。
【００５１】
−第３レンズ群−
また、第２摺動枠６０に形成された第２群コマ６２が第１カム筒９０の第２群直進溝９１と係合しており、第１カム筒９０に形成された第１カム筒摺動コマ９２が直進筒８０に形成された第１カム筒摺動コマガイド溝８４に係合している。このため、第２摺動枠６０が回転すると、その回転は第１カム筒９０に伝達され、第１カム筒９０は回転しながら直進筒８０とともに光軸方向に被写体側に移動する。
【００５２】
第３レンズ群枠４の外周に形成された第３群コマ２０３は、第１カム筒９０の第３群コマカム溝９３を挿通し、直進筒８０の第３群コマガイド溝８３に係合している。このため、直進筒８０及び第１カム筒９０が光軸方向に被写体側に移動すると、第３レンズ群Ｃは、これら直進筒８０及び第１カム筒９０とともに光軸方向に被写体側に移動する。さらに、直進筒８０に対して第１カム筒９０が回転することにより、第３レンズ群Ｃは、直進筒８０及び第１カム筒９０に対して光軸方向に移動する。このようにして、第３レンズ群Ｃは光軸方向に被写体側に移動する。
【００５３】
−第４レンズ群−
第４レンズ群枠５を支持する第４群摺動枠１３０の外周に形成された第４群コマ２０４は、第１カム筒９０の第４群コマガイド溝９４を挿通し、直進筒８０の凹部８０Ａに嵌合している。このため、直進筒８０及び第１カム筒９０が光軸方向に被写体側に移動すると、第４レンズ群枠５に固定された第４レンズ群Ｄは回転することなく光軸方向に被写体側へ移動する。
【００５４】
−第５レンズ群−
第５レンズ群枠６の外周に形成された第５群コマ２０５は、第１カム筒９０の第５群コマガイド溝９５を挿通し、第４群摺動枠１３０の後部に形成された固定枠部２１０の縦溝２１１と係合している。このため、第１カム筒９０が回転しながら光軸方向に移動すると、第５レンズ群Ｅは第１カム筒９０に対して光軸方向に移動する。このようにして、第５レンズ群Ｅは光軸方向に移動する。
【００５５】
以上説明したように、ズームリング１０を回転させることにより、第１〜５レンズ群Ａ〜Ｅは、それぞれ独立して光軸方向に移動することとなる。
【００５６】
（フォーカス作動）
マニュアルフォーカス時には、フォーカスリング１００が回転されると、その回転は合焦用モータ１８０の減速機を介して、フォーカスギアリング１７０へ伝達される。また、オートフォーカス時には、制御手段から被写体までの距離に応じた制御信号が合焦用モータ１８０に入力されると、合焦用モータ１８０は被写体までの距離に応じた角度だけ、フォーカスギアリング１７０を回転させる。
【００５７】
フォーカスギアリング１７０が回転されると、フォーカス連動板１９０に植設されたフォーカス連動コマ１９１がフォーカスカム筒７０に形成されたフォーカス連動コマ溝７３に係合しているため、フォーカスカム筒７０が回転される。また、第２レンズ群枠３の外周に植設されたフォーカス摺動コマ２０１が、直進筒８０のフォーカス摺動コマカム溝８１を挿通し、フォーカスカム筒７０のフォーカス摺動コマガイド溝７２に係合している。このため、フォーカスカム筒７０が回転すると、第２群コマ６２を基点として、フォーカスカム筒７０が光軸方向に移動され、第２群コマ６２と一緒に第２レンズ群Ｂが光軸方向に移動する。これにより、フォーカス作動が行われる。
【００５８】
以上説明したように、本実施形態のズームレンズ鏡筒１は、縦溝筒２０と、縦溝筒２０の外側に配置されたズームリング１０と、外側から内側に向かって順に配置された外筒３０、第１摺動枠４０、第２カム筒５０、第２摺動枠６０、フォーカスカム筒７０、直進筒８０、及び第１カム筒９０からなるレンズ繰出筒群と、により構成されている。すなわち、本実施形態のズームレンズ鏡筒１は９層の筒体から構成されており、広い焦点距離をカバーしつつ、コンパクトな構成とすることができる。
【００５９】
また、本実施形態によれば、外筒３０と直進筒８０とが直進筒連動コマ３３により連結されている。このため、ズームリング１０が回転されると、カム機構により外筒３０が光軸方向に移動するが、外筒３０と一体となって直進筒８０も光軸方向に移動する。そして、直進筒８０に対して第１カム筒９０が回転されることにより、第３〜第５レンズ群Ｃ〜Ｅが光軸方向に移動する。このように、外筒３０と直進筒８０とが一体となって光軸方向に移動するため、従来に比べて、広角から望遠へレンズを繰り出す場合と、望遠から広角へレンズを退行させる場合との繰り出し精度の差を減らすことができる。
【００６０】
なお、本実施形態では、第１〜５レンズ群を備えた鏡筒の場合について説明したが、本願発明はこれに限らず、例えば、４群のレンズを備えた鏡筒に適用することも可能である。すなわち、本願発明は複数のレンズ群を備えたズームレンズ鏡筒であれば適用することができる。
【００６１】
また、本実施形態では、レンズ繰出筒群において、外側から内側に向かって外筒３０、第１摺動枠４０、第２カム筒５０、第２摺動枠６０、フォーカスカム筒７０、直進筒８０、第１カム筒９０の順序で配置された場合について説明したが、本発明はこれに限らず、筒体の順序を変更してもよい。
【符号の説明】
【００６２】
１  ズームレンズ鏡筒
２  第１レンズ群枠
３  第２レンズ群枠
４  第３レンズ群枠
５  第４レンズ群枠
６  第５レンズ群枠
７  マウント
８  第１基部筒
９  第２基部筒
１０  ズームリング
１１  第２カム筒ガイド溝
１２  外筒カム溝
２０  縦溝筒
２１  外筒コマ直進溝
２２  第２カム筒コマ挿通開口
３０  外筒
３１  外筒コマ
３２  第１摺動枠直進溝
３３  直進筒連動コマ
４０  第１摺動枠
４１  第１群ガイドコマ
４２  第１群摺動コマ
５０  第２カム筒
５１  第２カム筒連動コマ
５２  第１群カム溝
５３  第２摺動枠直進溝
６０  第２摺動枠
６１  第２摺動枠連動コマ
６２  第２群コマ
７０  フォーカスカム筒
７１  第２群フォーカス溝
７２  フォーカス摺動コマガイド溝
７３  フォーカス連動コマ溝
８０  直進筒
８０Ａ  凹部
８１  フォーカス摺動コマカム溝
８２  第２群コマガイド溝
８３  第３群コマガイド溝
８４  第１カム筒摺動コマガイド溝
９０  第１カム筒
９１  第２群直進溝
９２  第１カム筒摺動コマ
９３  第３群コマカム溝
９４  第４群コマガイド溝
９５  第５群コマガイド溝
１００  フォーカスリング
１１０  第２群摺動枠
１２０  第３群摺動枠
１３０  第４群摺動枠
１４０  第５群摺動枠
１５０  手振れ補正機構
１６０  絞り機構
１７０  フォーカスギアリング
１８０  合焦用モータ
１９０  フォーカス連動板
１９１  フォーカス連動コマ
２０１  フォーカス摺動コマ
２０３  第３群コマ
２０４  第４群コマ
２０５  第５群コマ
２１０  固定枠
２１１  縦溝
【図１】
2015106128.tif 000003
【図２】
2015106128.tif 000004
【図３】
2015106128.tif 000005
【図４】
2015106128.tif 000006
【図５】
2015106128.tif 000007
【図６】
2015106128.tif 000008
【図７】
2015106128.tif 000009
【図８】
2015106128.tif 000010
【図９】
2015106128.tif 000011
【図１０】
2015106128.tif 000012
【図１１】
2015106128.tif 000013